(57)【要約】【課題】小型で、表示装置と第２の撮像ユニットが外力により破損し難い電子機器を提供すると同時に、表示装置から第２の撮像ユニットへの光漏れを防止すること。【解決手段】画像表示部としての表示装置と、前記表示装置の背面を覆い、端部が厚み方向に垂直に曲げられた曲げ部と、前記曲げ部の根元が切り欠かれた切り欠き部を有する表示装置保持板金と、前記表示装置と隣り合うように配置された撮像ユニットと、前記撮像ユニットが実装され、前記表示装置と前記撮像ユニットの信号を伝送する基板と、前記撮像ユニットを収納する収納部を有するカバー部材とを備えた電子機器において、前記カバー部材の収納部の１辺は、前記表示装置と前記撮像ユニットの間のスペースに設けられたリブで構成されており、前記リブの長手方向に形成された溝部に、前記表示装置保持板金の前記曲げ部に設けられた前記切り欠き部が係合することを特徴とする。【選択図】図６
2015097323.tif 000002
【特許請求の範囲】
【請求項１】
画像表示部としての表示装置（３１）と、
前記表示装置（３１）の背面を覆い、端部が厚み方向に垂直に曲げられた曲げ部（３７ａ）と前記曲げ部（３７ａ）の根元が切り欠かれた切り欠き部（３７ｂ）を有する表示装置保持板金（３７）と、
前記表示装置（３１）と隣り合うように配置された撮像ユニット（４０）と、
前記撮像ユニット（４０）が実装され、前記表示装置（３１）と前記撮像ユニット（４０）の信号を伝送する基板（３９）と、
前記撮像ユニット（４０）を収納する収納部（３３ｇ）を有するカバー部材（３３）とを備えた電子機器において、
前記カバー部材（３３）の収納部（３３ｇ）の１辺は、前記表示装置（３１）と前記撮像ユニット（４０）の間のスペースに設けられたリブ（３３ｂ）で構成されており、前記リブ（３３ｂ）の長手方向に形成された溝部（３３ｃ）に、前記表示装置保持板金（３７）
の前記曲げ部（３７ａ）に設けられた前記切り欠き部（３７ｂ）が係合することを特徴とする電子機器。
【請求項２】
前記カバー部材３３の前記リブ（３３ｂ）に形成された前記溝部（３３ｃ）は、前記リブ（３３ｂ）の前記溝部（３３ｃ）が設けられた面と反対の面に設けられた前記撮像ユニット（４０）の最大外形を逃げる凹部（３３ｈ）と厚み方向で重ならない位置に設けられていることを特徴とする請求項１に記載の電子機器。
【請求項３】
前記カバー部材（３３）は遮光材料で形成されていることを特徴とする請求項１又は請求項２に記載の電子機器。
【請求項４】
前記表示装置保持板金（３７）の前記曲げ部（３７ａ）の先端は、前記表示装置（３１）の表示面より厚み方向で突出していることを特徴とする請求項１乃至請求項３の何れか１項に記載の電子機器。
【発明の詳細な説明】
【技術分野】
【０００１】
本発明は、電子機器に関し、表示装置と撮像ユニットが隣接して配置された電子機器に関する。
【背景技術】
【０００２】
デジタルカメラやスマートフォン等の電子機器は、旅行先の風景、建物、人、子供の成長等の記録に使用されることが多いが、その際に撮影者の画像も一緒に記録したいという要望があった。そのため、被写体側（撮影者が撮影を行おうとする対象）に設けられた第１の撮像ユニットとは別に、撮影者側にも表示装置と並べて第２の撮像ユニットを配置し、被写体と撮影者を同時に記録できるようにした電子機器が知られている。
【０００３】
このような電子機器では第１の撮像ユニットからの画像の一部に、第１の撮像ユニットからの画像よりも小さいサイズの第２の撮像ユニットからの画像を重ねて同時に表示装置に表示するように構成されている。
【０００４】
表示装置と撮像ユニットを並べて配置する例としては特許文献１のように、マグネシウムフレームの上下に設けられたサブカメラ装着用孔とディスプレイ装着用孔にサブカメラと液晶ディスプレイをそれぞれ挿入し並べて配置した構成が公開されている。
【先行技術文献】
【特許文献】
【０００５】
【特許文献１】特開２００７−２１５０１７号公報
【発明の概要】
【発明が解決しようとする課題】
【０００６】
しかしながら、第１の撮像ユニットからの画像と第２の撮像ユニットからの画像を同時に表示装置に表示させる構成においては、より大きなサイズの表示装置を搭載することが画像の視認性という点で望ましく、第２の撮像ユニットと並べて配置すると電子機器自体が大型化してしまう。
【０００７】
そのため、表示装置と第２の撮像ユニットを近接して配置することが望ましいが、表示装置からの光が第２の撮像ユニットに有害光として届かないようにする必要がある。また、第２の撮像ユニットと表示装置を近接させて配置しても外力によって表示装置と第２の撮像ユニットが破損し難い構成にする必要がある。
【課題を解決するための手段】
【０００８】
そこで、本発明では、
画像表示部としての表示装置と、前記表示装置の背面を覆い、端部が厚み方向に垂直に曲げられた曲げ部と、前記曲げ部の根元が切り欠かれた切り欠き部を有する表示装置保持板金と、前記表示装置と隣り合うように配置された撮像ユニットと、前記撮像ユニットが実装され、前記表示装置と前記撮像ユニットの信号を伝送する基板と、前記撮像ユニットを収納する収納部を有するカバー部材とを備えた電子機器において、
前記カバー部材の収納部の１辺は、前記表示装置と前記撮像ユニットの間のスペースに設けられたリブで構成されており、前記リブの長手方向に形成された溝部に、前記表示装置保持板金の前記曲げ部に設けられた前記切り欠き部が係合することを特徴とする構成とした。
【発明の効果】
【０００９】
本発明によれば、小型で、表示装置と第２の撮像ユニットが外力により破損し難い電子機器を提供できると同時に、表示装置から第２の撮像ユニットへの光漏れを防止することが可能となる。
【図面の簡単な説明】
【００１０】
【図１】本発明のデジタルカメラ１０の外観を示す、背面側から見た斜視図である。
【図２】本発明の表示装置ユニット３０の取り付け方法を示す分解斜視図である。
【図３】本発明の表示装置ユニット３０の構成を示す分解斜視図である。
【図４】本発明のカバー部材３３の底面側から見た斜視図である。
【図５】本発明の表示装置ユニット３０の構成を示す分解斜視図である。
【図６】本発明の表示装置ユニット３０の中央での横断面図である。
【発明を実施するための形態】
【００１１】
［実施例１］
以下、本発明の実施形態の一例を図１〜６を参照しながら詳細に説明する。
【００１２】
図１に示すように、デジタルカメラ１０の前面には被写体像を撮像素子に結像する沈胴式の第１の撮像ユニット２０が配置されている。第１の撮像ユニット２０には、光学像を光電変換して画像データを生成するＣＣＤやＣＭＯＳイメージセンサ等の撮像素子（不図示）が実装されている。撮像素子（不図示）で生成した画像データは、デジタルカメラ１０に実装された信号処理基板（不図示）の処理回路によりデジタル情報に変換される。信号処理基板には、カードＩ／Ｆ等を含む記録媒体スロットや撮像部、画像処理部、システム制御部、シリアルＩ／Ｆ等が実装されている。
【００１３】
デジタルカメラ１０の上面にはデジタルカメラ１０の電源オンとオフの操作を行う電源ボタン２１が配置されている。その横には、撮像準備および撮像操作の指示を行うレリーズボタン２２が設けられている。レリーズボタン２２を半押し操作すると、撮影準備動作（測光動作や測距動作等）が開始される。レリーズボタン２２を全押し操作すると、被写体を撮影し、記録媒体収納室に挿着した記録媒体に被写体像の画像データを記録する。レリーズボタン２２の外周部には、レリーズボタン２２を中心に所定の角度で回動し、撮影画角の変更を行うズームレバー２３が配置されている。
【００１４】
デジタルカメラ１０の筐体上面から見て時計回りに回転させると、第１の撮像ユニット２０がテレ側（画角が狭くなる方向）にズーム動作を行い、逆に反時計回りに回転させると第１の撮像ユニット２０がワイド側（画角が広くなる方向）にズーム動作を行う。デジタルカメラ１０背面には撮影した画像や、ライブビュー画像を表示する表示装置３１、撮影者を撮影するための第２の撮像ユニット４０、第２の撮像ユニット４０を保護する保護窓３２、カバー部材３３等が配置されている。
【００１５】
図２を用いて表示装置３１等を含む表示装置ユニット３０の取り付けについて説明する。表示装置ユニット３０はシャフト３４、シャフト３４にスポット溶接された第１の板金部材３５、シャフト３４が挿入されるカール部３６ａを有し、シャフト３４に対し回動可能に取り付けられた第２の板金部材３６を有する。第１の板金部材３５には一対の位置決め穴３５ａと穴部３５ｂが形成されている。
【００１６】
第１の撮像ユニット２０等の各ユニットやメイン基板１３が固定されるメインシャーシ１２には、一対の位置決めピン１２ａとバーリング部１２ｂが形成されている。第１の板金部材３５の位置決め穴３５ａにメインシャーシ１２の位置決めピン１２ａを挿入し、穴部３５ｂを介してバーリング部１２ｂに不図示のビスで固定する。この状態で表示装置ユニット３０はメインシャーシ１２に第１の撮像ユニット２０等の各ユニットやメイン基板１３が固定された状態の本体１１に対して固定され、シャフト３４を回転中心として回動可能に取付けられていることになる。
【００１７】
図３〜６を用いて表示装置ユニット３０の構成について説明する。図３に示すように、カバー部材３３は遮光性を有する樹脂材で成形された部材であり、開口３３ａが形成されている。開口３３ａに表示装置３１の表示面側に貼り付けられた強化ガラス３１ａの外形が係合し、表示装置３１の取付け位置が決まる。表示装置３１の背面には表示装置保持板金３７が配置される。表示装置保持板金３７には曲げ部３７ａが形成され、曲げ部３７ａには根元が切り欠かれた切り欠き部３７ｂが設けられている。
【００１８】
図４はカバー部材を底面側から見た図である。図４に示すように、カバー部材３３にはリブ状の遮光壁３３ｂが設けられており、遮光壁３３ｂには長手方向に溝部３３ｃが形成されている。カバー部材３３の溝部３３ｃに表示装置保持板金３７の切り欠き部３７ｂを厚み方向で係合させ、表示装置３１の背面に表示装置保持板金３７を被せる。表示装置保持板金３７の背面にはスペーサー３８が配置される。スペーサー３８には不図示の位置決めダボと両面テープによりフレキシブル基板３９が位置決め、及び固定されている。
【００１９】
フレキシブル基板３９には第２の撮像ユニット４０とコネクタ３９ａとコネクタ３９ｂが実装されている。コネクタ３９ａには表示装置３１のフレキシブル基板３１ｂが接続され、第２の撮像ユニット４０と表示装置３１の信号をメイン基板１３の不図示のコネクタに接続されるコネクタ３９ｂを介してメイン基板１３に伝送する。スペーサー３８には一対の位置決め穴３８ａが形成されており、カバー部材３３に形成された一対の位置決めダボ３３ｄが挿入されることでカバー部材３３に対して取付け位置が決まる。また、スペーサー３８の上面と底面には爪部３８ｂが形成されており、カバー部材３３に形成された凹部３３ｅと厚み方向で係合させることで、表示装置３１と表示装置保持板金３７をカバー部材３３との間に挟持する。
【００２０】
この際、第２の撮像ユニット４０の両脇に形成されたフレキシブル基板３９の位置決め穴３９ｃは、カバー部材３３に形成された位置決めダボ３３ｆに挿入され、第２の撮像ユニット４０のカバー部材３３に対しての取付け位置が決まる。同時に第２の撮像ユニット４０はカバー部材３３の収納部３３ｇに収納される。収納部３３ｇは溝部３３ｃが設けられた遮光壁３３ｂを含む板状のリブで形成されている。表示装置３１の光は遮光壁３３ｂにより第２の撮像ユニット４０に有害光として届かないように遮光されている。
【００２１】
図５に示すように、シャフト３４と第１の板金部材３５が一体に取付けられた第２の板金部材３６には、一対の位置決め穴３６ｂと穴部３６ｃが形成されており、カバー部材３３に形成された位置決めダボ３３ｆが位置決め穴３６ｂに挿入され、カバー部材３３に対して取付け位置が決まる。この状態で穴部３６ｃを介してカバー部材３３のビス穴３３ｈに不図示のビスで固定することで、第２の板金部材３６とカバー部材３３とで表示装置３１、表示装置保持板金３７、スペーサー３８、フレキシブル基板３９を挟持する。第２の板金部材３６の背面には背面カバー部材４１が配置され、側面、及び底面に設けられた開口部４１ａがカバー部材３３の不図示の爪部に厚み方向で係合する。
【００２２】
最後に、第２の板金部材３６に形成されたビス穴３６ｄに背面カバー部材４１を穴部４１ｂを介して不図示のビスで固定する。また、第２の金属板金３６の側面、及び底面に形成されたビス穴３６ｅに、カバー部材３３の側面、及び底面に形成された穴部３３ｊと表示装置保持板金３７の側面に形成された穴部３７ｃを介して不図示のビスで固定する。
【００２３】
図６は表示装置ユニット３０の中央での横断面図である。第２の撮像ユニット４０の前面には弾性部材４２が貼り付けられている。第２の撮像ユニット４０はカバー部材３３と第２の板金部材３６で挟持されており、弾性部材４２はカバー部材３３によって圧縮されるため第２の撮像ユニット４０はカバー部材３３の収納部３３ｇ内でカバー部材３３と平行に固定される。第２の撮像ユニット４０の前面にはレンズ部４０ａが設けられており、レンズ部４０ａを保護するために、カバー部材３３の凹部３３ｊに保護窓３２が両面テープ４３で固定されている。第２の撮像ユニット４０と表示装置３１の間には前述したようにカバー部材３３に形成されている遮光壁３３ｂが配置されており、遮光壁３３ｂの溝部３３ｃに表示装置保持板金３７の切り欠き部３７ｂが厚み方向で係合している。
【００２４】
曲げ部３７ａは表示装置３１の表示面より厚み方向で突出しており、例えばデジタルカメラ１０の背面で最も突出している保護窓３２部にＡ方向から外力が掛かった際に保持板金３７の曲げ部３７ａが支えとなる構成としている。また、遮光壁３３ｂの収納部３３ｇ側には第２の撮像ユニット４０の最大外形を逃げる凹部３３ｋが設けられており、溝部３３ｃとは厚み方向で重ならない位置関係となっている。
【００２５】
以上説明したように、本実施形態によれば、カバー部材３３の遮光壁３３ｂの溝部３３ｃに表示装置保持板金３７の曲げ部３７ａに設けられた切り欠き部３７ｂを係合させている。よって、カバー部材３３の遮光壁３３ｂと表示装置保持板金３７の曲げ部３７ａを高さ方向でオーバーラップさせることができるため、表示装置３１と第２の撮像ユニット４０を近接して配置することができ、デジタルカメラ１０を小型化することが可能となる。
【００２６】
また、デジタルカメラ１０の背面で最も突出しており、外力が掛かり易い第２の撮像ユニット４０の保護窓３２部を外力に対して強固にすることができると同時に、表示装置３１から第２の撮像ユニット４０への有害光の侵入を防止することも可能となる。
【００２７】
以上、本発明の実施形態について説明したが、本発明はこれらの実施形態に限定されず、その要旨の範囲内で種々の変形及び変更が可能である。例えば、カバー部材３３は遮光性を有する樹脂材としているが、これに限定されるものではない。
【符号の説明】
【００２８】
３１    表示装置
３３    カバー部材
３３ｂ  リブ
３３ｃ  溝部
３３ｇ  収納部
３３ｈ  凹部
３７    表示装置保持板金
３７ａ  曲げ部
３７ｂ  切り欠き部
３９    フレキシブル基板
４０    第２の撮像ユニット
【図１】
2015097323.tif 000003
【図２】
2015097323.tif 000004
【図３】
2015097323.tif 000005
【図４】
2015097323.tif 000006
【図５】
2015097323.tif 000007
【図６】
2015097323.tif 000008